(57)【要約】【課題】業務プロセスの種類毎あるいはプロジェクト毎に実施内容・結果を、データ形式に依存せず、将来的にトレース可能な形で蓄積・管理を可能とする。【解決手段】クライアント３０は、サーバ１０からのインデックスページファイル(A)から自己の業務プロセスなどに適合するテンプレートを選択して要求すると、サーバ１０は、このクライアント３０に対し、外部記憶装置２０の保存フォルダ２５に格納フォルダ２６を設定し、これをリンク先とするhtmlファイル(B)を作成し、該当するテンプレートとともにクライアント３０にダウンロードする。クライアント３０では、htmlファイル(B)とテンプレートとを指定場所(C)に格納する。このテンプレートに業務プロセスなどの実行によるデータを記入したデータファイルを外部記憶装置２０に格納する場合には、指定場所(C)に格納したhtmlファイル(B)をもとに、格納フォルダ２６に格納すべくサーバ１０にアップロードする。【選択図】図２
2007179209.tif 000002
【特許請求の範囲】
【請求項１】
クライアント側で作成された業務の種類やプロジェクト毎の実施内容やその結果のデータファイルを記録・管理する方法であって、
該クライアントからのテンプレートのリクエストに応じて、サーバからテンプレートと該テンプレートに記入された該データファイルの格納先をリンク先として示すリンクファイルとが該クライアントにダウンロードされ、
該クライアント側では、該テンプレートと該リンクファイルとを指定場所に保存し、該テンプレートに記入された該データファルを、該指定場所に保存されている該リンクファイルで示されるリンク先を格納先として、該サーバにアップロードすることを特徴とする業務プロセスやドキュメントの記録・管理方法。
【請求項２】
請求項１において、
前記サーバは、前記クライアントからのテンプレートのリクエストに応じて、外部記憶装置に前記クライアントからのデータファイルを保存する格納フォルダを設定し、該格納フォルダをリンク先とする前記リンクファイルを作成して前記クライアントにダウンロードすることを特徴とする業務プロセスやドキュメントの記録・管理方法。
【請求項３】
請求項２において、
前記外部記憶装置は、業務の種類やプロジェクト毎のテンプレートを格納したテンプレートフォルダと、前記格納フォルダを保存する保存フォルダとを有し、該テンプレートフォルダと該保存フォルダとを同じシステム上のクライアントに対して公開していることを特徴とする業務プロセスやドキュメントの記録・管理方法。
【請求項４】
請求項２または３において、
前記格納フォルダは、テンプレートのリクエストがあった前記クライアントに関する情報をもとに、作成されることを特徴とする業務プロセスやドキュメントの記録・管理方法。
【請求項５】
請求項１〜４のいずれが１つにおいて、
前記クライアントは、前記サーバからダウンロードされたテンプレートのインデックスページファイルをもとに、業務の種類やプロジェクトに適合した前記テンプレートを選択して前記サーバにリクエストすることを特徴とする業務プロセスやドキュメントの記録・管理方法。
【請求項６】
請求項５において、
前記クライアントは、選択した前記テンプレートを前記サーバにリクエストするとともに、前記指定場所を設定することを特徴とする業務プロセスやドキュメントの記録・管理方法。
【発明の詳細な説明】
【技術分野】
【０００１】
本発明は、ERP(Enterprise Resource Planning：企業資源計画)，MES(Manufacturing Execution System：製造実行システム)などの業務支援システムにおいて、業務の種類毎あるいはプロジェクト毎に実施内容・結果の蓄積・管理を可能とした業務プロセスやドキュメントの記録・管理方法に関する。
【背景技術】
【０００２】
業務支援システムにおいて、業務プロセスの種類毎あるいはプロジェクト毎に実施内容・結果を将来的にトレース可能な形で蓄積・管理できるようにするためには、記録するユーザ間でその実施内容・結果を記載するための共通のテンプレートを用いるようにした技術が知られている（例えば、特許文献１参照）。
【０００３】
ところで、この場合には、テンプレートをそのユーザ間で共通のフォルダに格納し、ユーザがこれをダウンロードして、必要事項を記入の上、テンプレートや記載したカテゴリ，ユーザ毎の各付帯情報を基にしたサーバ上のユーザ間で予め決められた場所に保存することが必要がある。
【０００４】
これを実現する方法としては、
Ａ）保存の際には、個々の記載内容をhttp（hypertext transfer protocol）サービスを経由してデータベースをコンピュータ上で管理するためのデータベースマネージメントシステムに格納し、参照の際には、個々の記載内容をhttpサービスを経由してデータベースマネージメントシステムから取り出すという、http・データベースマネージメントシステムの構成をとる方法
Ｂ）httpまたはネットワークファイルシステムで保存先を記載されたファイルを取得し、そのファイルに記載された保存先にネットワークファイルシステムで保存する方法
がある。また、ファイル形式がテキスト形式のみに限れば、
Ｃ）アプリケーションサーバ上でテンプレートに従って必要事項を記入し、記入内容のみ格納するデータベースを作って管理する方法
もある。
【特許文献１】特開２００１−２６５７６０
【発明の開示】
【発明が解決しようとする課題】
【０００５】
しかしながら、上記Ａ）の方法では、システムが大きくなり、構築並びに運用コストが嵩むという問題があるし、上記Ｂ）の方法では、テンプレートのダウンロード時と異なるタイミングで保存しようとすると、ファイルの手がかりが乏しくなるという問題がある。また、上記Ｃ）の方法については、保存可能な形式が限られるという問題があるし、また、記載する事項の記載タイミングが異なると、記載タイミングが異なる記載事項毎にテンプレートを分けることが必要であり、管理が煩雑になるという問題がある。
【０００６】
本発明は、かかる問題に鑑みてなされたものであって、その目的は、業務プロセスの種類毎あるいはプロジェクト毎に実施内容・結果を、データ形式に依存することなく、将来的にトレース可能な形で蓄積・管理を可能とし、プロセス管理とトレーサビリティとの精度の向上を実現可能とした業務プロセスやドキュメントの記録・管理方法を提供することにある。
【課題を解決するための手段】
【０００７】
上記目的を達成するために、本発明は、クライアント側で作成された業務プロセスの種類やプロジェクト毎の実施内容やその結果のデータファイルを記録・管理する方法であって、クライアントからのテンプレートのリクエストに応じて、サーバからテンプレートとテンプレートに記入されたデータファイルの格納先をリンク先として示すリンクファイルとがクライアントにダウンロードされ、クライアント側では、テンプレートとリンクファイルとを指定場所に保存し、テンプレートに記入されたデータファルを、指定場所に保存されているリンクファイルで示されるリンク先を格納先として、サーバにアップロードすることを特徴とする藻のである。
【０００８】
また、本発明は、サーバが、クライアントからのテンプレートのリクエストに応じて、外部記憶装置にクライアントからのデータファイルを保存する格納フォルダを設定し、この格納フォルダをリンク先とする上記のリンクファイルを作成してクライアントにダウンロードすることを特徴とする藻のである。
【０００９】
また、本発明は、上記外部記憶装置が、業務プロセスの種類やプロジェクト毎のテンプレートを格納したテンプレートフォルダと、上記格納フォルダを保存する保存フォルダとを有し、テンプレートフォルダと保存フォルダとを同じシステム上のクライアントに対して公開していることを特徴とする藻のである。
【００１０】
また、本発明は、上記格納フォルダが、テンプレートのリクエストがあったクライアントに関する情報をもとに、作成されることを特徴とする藻のである。
【００１１】
また、本発明は、クライアントが、サーバからダウンロードされたテンプレートのインデックスページファイルをもとに、業務プロセスの種類やプロジェクトに適合したテンプレートを選択してサーバにリクエストすることを特徴とする藻のである。
【００１２】
また、本発明は、クライアントが、インデックスページファイルから選択したテンプレートをサーバにリクエストするとともに、上記指定場所を設定することを特徴とするものである。
【発明の効果】
【００１３】
本発明によると、業務支援システムにおいて、業務プロセスの種類毎あるいはプロジェクト毎に実施内容・結果を将来的にトレース可能な形で蓄積・管理できるようにするため、業務遂行者が業務上必要なドキュメント、フォーマット、データなどを利用する際、業務プロセスの種類毎あるいはプロジェクト毎に実施内容・結果を、データ形式に依存することなく、一元的／系統的に蓄積・管理することが可能となり、余分な工数を掛けずにプロセス管理精度及びトレーサビリティ精度を維持・向上させることができて、問題発生時のトレースバック（工程の流れに沿う方向での状況の照会）／トレースフォワード（工程の流れとは逆方向に遡る方向での状況の照会）やプロセス実行過程・結果への再利用が可能となる。
【発明を実施するための最良の形態】
【００１４】
以下、本発明の実施形態を図面を用いて説明する。
【００１５】
図１は本発明による業務プロセス及びドキュメントの記録・管理方法の一実施形態を用いたシステムの概略構成を示すシステム図であって、１０はサーバ・コンピュータ、２０は外部記録装置、３０1，３０2，……，３０nはクライアント・コンピュータ、４０1，４０2，……，４０nはG U I（グラフィック・ユーザ・インタフェース）である。
【００１６】
同図において、サーバ・コンピュータ１０は外部記憶装置２０を備えており、この外部記憶装置２０には、ユーザが業務プロセスの実施内容やその結果（実施内容・結果）を記載するためのテンプレートやテンプレートに記載した実施内容・結果のファイル（データファイル）などを保存している。
【００１７】
サーバ・コンピュータ１０はユーザのクライアント・コンピュータとネットワーク（例えば、インタネットなど）を介してクライアント・コンピュータ３０1，３０2，……，３０nと通信可能に接続されており、かかるクライアント・コンピュータ３０1，３０2，……，３０n（以下では、これらをまとめて言うときには、クライアント・コンピュータ３０という）からのリクウェストにより、このリクウェストに該当するテンプレートを外部記憶装置２０から読み取ってリクウェストしたクライアント・コンピュータ３０にダウンロードし、また、クライアント・コンピュータ３０からアップロードされるテンプレートに記載されたデータファイルを取り込み、外部記憶装置２０の所定のフォルダに保存する。
【００１８】
また、クライアント・コンピュータ３０1，３０2，……，３０nは夫々、作業（業務）端末や作業領域としてのG U I４０1，４０2，……，４０n（以下では、これらをまとめて言うときには、G U I４０という）を備えている。このG U I４０では、Webブラウザも含まれており、このWebブラウザで表示される内容に応じてリクウェストやデータのテンプレートへの入力，データの編集などの操作を行なうことができる。
【００１９】
図２は図１に示すシステムでの各部具体例を示す図であって、１１はファイルサーバ、１２はウェブ・サービス、１３はネットワーク・ファイルシステム、２１はスクリプト、２２は制御ファイル、２３はテンプレートフォルダ、２４はテンプレート、２５は保存フォルダ、２６は格納フォルダ、５０はWebブラウザであり、図１に対応する部分には同一符号を付けて重複する説明を省略する。
【００２０】
同図において、サーバ・コンピュータ１０には、ファイルシステムやhttpサービスを提供するオペレーディンクシステムを有するソフトウェアと、これらを稼働するための演算装置や主記憶装置，通信手段などが設けられ、かつ外部記憶装置２０が接続されており、これにより、ファイル・サーバ１１とウェブ・サービス１２とネットワーク・ファイルシステム１３といったサービス機能を具備している。また、外部記憶装置２０には、サーバ・コンパュータ１０の制御のもとに、クライアント・コンピュータ３０からのリクエストに基づいてテンプレートフォルダ２３からテンプレート２４を選び、また、クライアント・コンピュータ３０からのテンプレート２４に記載された業務プロセスの種類やプロジェクト毎の実施内容やその実施による最終結果といったデータファイルを、保存データとして、格納する場所（保存フォルダ２５での格納フォルダ２６）の設定処理を実行させるためのプログラムであるスクリプト２１や、その実行に必要な制御ファイル２２、業務プロセス上必要となる様々なテンプレート２４を格納したテンプレート・フォルダ２３、上記の保存データを格納するための格納フォルダ２６を包含する保存フォルダ２５が記憶されている。これらテンプレートフォルダ２３や保存フォルダ２５の格納フォルダ２５はhttp公開されており、このシステム上のどのクライアント・コンピュータ３０からもアクセスすることができる。
【００２１】
クライアント・コンピュータ３０には、そのサービス機能として、そのG U I４０にWebベースの情報授受を行なうためのWebブラウザ５０が含まれている。
【００２２】
クライアント・コンピュータ３０で、G U I４０の操作により、まず、業務プロセスに必要なテンプレートのためのリクウェストが発行されると、このリクエストに基いてサーバ・コンピュータ１０が外部記憶装置２０のスクリプト２１を起動する。これにより、サーバ・コンピュータ１０では、外部記憶装置２０から業務プロセスに必要となるテンプレート・フォルダ２３の名前ＩＤとそれが存在する場所を示すリンク・ファイルとしてのインデックスページ（索引ページ）ファイル(A)が読み出され、クライアント・コンピュータ３０に送られる。
【００２３】
クライアント・コンピュータ３０では、このインデックスページファイル(A)を参照して、そのときの業務プロセスに必要なテンプレートをサーバ・コンピュータ１０に要求するが、これとともに、この要求に対してサーバ・コンピュータ１０からダウンロードされる情報、即ち、テンプレートフォルダ２３の実体（即ち、上記業務プロセスに必要なテーンプレート）と、このクライアント・コンピュータ３０でこのテンプレートに記入された業務プロセスの実施内容やその最終結果などの保存データの外部記憶装置２０での格納場所（即ち、保存フォルダ２５での格納フォルダ２６）を示すリンク・ファイルとしてのhtml(HyperText Markup Language)で記述したファイル、即ち、htmlファイル(B)とを保存すべく指定された場所（以下、指定場所(C)という）を設定する。これにより、クライアント・コンピュータ３０では、要求に対してサーバ・コンピュータ１０からダウンロードされるテンプレートとhtmlファイル(B)とが、この指定場所(C)に保存される。
【００２４】
このために、サーバ・コンピュータ１０では、クライアント・コンピュータ３０からテンプレートの上記要求を受けると、外部記憶装置２０のテンプレートフォルダ２３から上記の該当するテンプレート２４を読み出し、かつ保存フォルダ２５にこのクライアント・コンピュータに対する格納フォルダ２６を設定するとともに、この格納フォルダ２６をリンク先とするリンクファイルとしての上記のhtmlファイル(B)を作成し、上記のテンプレートとともにクライアント・コンピュータ３０にダウンロードする。ダウンロードされたこれらテンプレートとhtmlファイル(B)とが、クライアント・コンピュータ３０の上記指定場所(C)に格納される。
【００２５】
そして、クライアント・コンピュータ３０では、当該業務プロセスの作業が終了してこの作業に関する実施内容やその最終結果といったデータが指定場所(C)に格納されているテンプレートに記入されてデータファイルが得られると、ユーザによるG U I４０の操作により、htmlファイル(B)を参照して、かかるデータファイルが、保存データとして、サーバ・コンピュータ１０にアップロードされる。サーバ・コンピュータ１０は、この保存データを外部記憶装置２０の保持フォルダ２５の指定された格納フォルダ２６に格納する。
【００２６】
かかる格納フォルダ２６はシステム上の他のクライアント・コンピュータ３１０に対しても、http公開されており、これにより、他のクライアント・コンピュータ３０からもアクセスすることが可能である。
【００２７】
図３は図２で説明した処理手順の概略のうち、主にテンプレートのダウンロードに関わる処理手順の一具体例を示すフローチャートである。
【００２８】
同図において、まず、クライアント・コンピュータ３０において、Webブラウザ５０とG U I４０により、実行する業務プロセスやプロジェクトに必要なテンプレートを選択するために、インデックスページ（テンプレートの索引ページ）ファイル(A)をサーバ・コンピュータ１０に要求（リクウエスト）する（ステップ１００）。
【００２９】
サーバ・コンピュータ１０は、この要求に対して、ファイルサーバ１１やWebサービス１２，ネットワークシステム１３によるhttpサーバサービスにより、外部記憶装置２０に格納されているテンプレートのインデックスページファイル(A)を開き（ステップ１０１）、そのインデックスページファイル(A)を読み出して（ステップ１０２）、クライアント・コンピュータ３０へ送出する（ステップ１０３）。
【００３０】
クライアント・コンピュータ３０では、このテンプレートのインデックスページファイル(A)を取り込んでWebブラウザ５０で表示し（ステップ１０４）、G U I４０により、このインデックスページファイル(A)から実行する業務プロセスやプロジェクトに必要な所望のテンプレートを選択して、サーバ・コンピュータ１０に要求（リクエスト）する（ステップ１０５）。このとき、クライアント・コンピュータ３０は、サーバ・コンピュータ１０からダウンロードされる後述の情報を格納するための所定の指定場所(C)を設定する。
【００３１】
なお、クライアント・コンピュータ３０がかかる要求のためのリクエスト情報やその他の情報を、httpネットワークなどを介して、サーバ・コンピュータ１０に送る場合には、送り元を知らせるために、クライアント・コンピュータ３０のユーザ名やマシン名などのクライアント・コンピュータ３０に関するブラウザ情報も同時に送られる。
【００３２】
サーバ・コンピュータ１０は、httpサーバサービスにより、クライアント・コンピュータ３０のブラウザ情報を取得し、これをクライアント・コンピュータ３０からのリクエスト情報と組み合わせ、外部記憶装置２０で制御ファイル２２を基にスクリプト２１を稼働させ（ステップ１０６）、保存フォルダ２５内にクライアント・コンピュータ３０で作成されるデータファイルを保存するための格納フォルダ２６を作成する（ステップ１０７）。そして、サーバ・コンピュータ１０は、この作成された格納フォルダ２６をリンク先とするhtmlファイル(B)を作成し（ステップ１０８）、外部記憶装置２０に記憶する（ステップ１０９）。次に、サーバ・コンピュータ１０は、このhtmlファイル(B)にリクエストされたテンプレートのファイルのリンク先（テンプレートフォルダ２３）を表わす情報を追加する（ステップ１１０）。
【００３３】
しかる後、サーバ・コンピュータ１０は、httpサーバサービスにより、外部記憶装置２０に格納されているhtmlファイル(B)を読み取り、リクエストがあったクライアント・コンピュータ３０に送出する（ステップ１１１）。また、これとともに、上記リンク先のテンプレートフォルダ２３からクライアント・コンピュータからのリクエストがあった該当するテンプレートのファイルを開き（ステップ１１２，１１３）、これを読み取ってリクエストしたクライアント・コンピュータ３０に送出する（ステップ１１４）。
【００３４】
このクライアント・コンピュータ３０では、Webブラウザ５０により、サーバ・コンピュータ１０からのhtmlファイル(B)とテンプレートとを取得し（ステップ１１５，１１７）、ユーザがG U I４０を操作することによって指定される上記の指定場所(C)に保存する（ステップ１１６，１１８）。
【００３５】
ユーザは、取得したテンプレートを基に、適宜のアプリケーションソフトにより、実行された業務プロセスやプロジェクトに基いて適宜の編集やデータ入力作業を行なうことができ、編集やデータ入力によるデータが記入されたテンプレートからなるファイル（即ち、データファイル）が、ユーザの指示のもとに、クライアント・コンピュータ３０の上記の場所(C)に保存される。
【００３６】
図４は図２で説明した処理手順の概略のうち、図３の処理に続く主にクライアントコンピュータ３０でのデータファイルのアップロードに関わる処理手順の一具体例を示すフローチャートである。
【００３７】
同図において、ユーザは、G U I４０により、クライアント・コンピュータ３０の上記の指定場所(C)に保存されたhtmlファイル(B)をWebブラウザ５０で表示させ（ステップ２００）、このhtmlファイル(B)のリンクを選択することにより、サーバ・コンピュータ１０に、ネットワークファイルシステム１３とクライアント・コンピュータ３０のオペレーティングシステム上のユーザの入力コマンドを解釈して実行するシェルシステムを用いて、クライアント・コンピュータ３０で作成したデータファイルを格納する外部記憶装置２０での保存フォルダ２５の図３のステップ１０７で設定された格納フォルダ２６を開くように要求（リクエスト）する（ステップ２０１）。
【００３８】
サーバ・コンピュータ１０は、このリクエストを受けて外部記憶装置２０での保存フォルダ２５の設定された格納フォルダ２５を開き（ステップ２０２，２０３）、この格納フォルダ２６の情報をクライアント・コンピュータ３０に送出する（ステップ２０４）。
【００３９】
クライアント・コンピュータ３０は、この情報を受けてWebブラウザ５０でシェルにより開かれたこの格納フォルダ２６の場所を表示し、これをユーザに告知する（ステップ２０５）。そして、ユーザのG U I４０の操作に伴って、クライアント・コンピュータ３０のオペレーティングシステム上のシェルシステムの機能により、上記の指定場所(C)に保存されているデータファイルを読み出し（ステップ２０７）、上記のhtmlファイル(B)のリンクで記述された上記の格納フォルダ２６に保存されるべく、サーバ・コンピュータ１０にアップロードする（ステップ２０６）。
【００４０】
サーバ・コンピュータ１０は、このデータファイルを受け取ると、これを外部記憶装置２０での保存フォルダ２５の設定された格納フォルダ２６に保存する（ステップ２０８，２０９）。
【００４１】
以上のように、この実施形態では、クライアント・コンピュータ３０がサーバ・コンピュータ１０に業務プロセスやプロジェクトに必要なテンプレートをリクエストするときに、サーバ・コンピュータ１０が外部記憶装置２０にこのリクエストがあったクライアント・コンピュータ３０に対する格納フォルダ２６を設定し、この設定された格納フォルダ２６をリンク先とするhtmlファイル(B)を、該当するテンプレートとともに、リクエストがあったクライアント・コンピュータ３０に送り（ダウンロードし）、このクライアント・コンピュータ３０では、このhtmlファイル(B)を上記の指定場所(C)に格納することができるものであるから、業務プロセスやプロジェクトに基くデータを記入したテンプレートであるデータファイルをどのようなタイミングでサーバ・コンピュータ１０にアップロードするようにしても、この保存されているhtmlファイル(B)により、アップロードされて保存される場所が上記の外部記憶装置２０の格納フォルダ２６であることが決められていることになり、間違いなくこの格納フォルダ２６で保存されることになる。
【００４２】
また、クライアント・コンピュータ３０では、テンプレートも上記の指定場所(C)に格納できるものであるから、データを記入したテンプレートもこの指定場所(C)に格納でき、従って、まとめて記入しておくべきデータを全て記入し終わるまでテンプレートをクライアント・コンピュータ３０で保存しておくことができる。このため、かかるデータが別々のテンプレートで保存されて管理が煩雑になることを回避できる。
【００４３】
また、クライアント・コンピュータ３０にダウンロードされるテンプレート２４は、当然格納フォルダ２６に保存可能なフォーマットをなしているものであるから、データはこのフォーマットに合わせて記入すればよい。従って、格納フォルダ２６に保存されるデータファイルのデータ形式は制限されることはない。
【００４４】
さらに、外部記憶装置２０の格納フォルダ２６は、リクエストがあったクライアント・コンピュータ３０のブラウザ情報をもとに作成されるものであるから、同じクライアント・コンピュータ３０に対する格納フォルダ２６は同じクライアント・コンピュータ３０に割り当てられたものであり、従って、同じクライアント・コンピュータ３０に割り当てられた格納フォルダ２６を利用することにより、業務プロセスの種類やプロジェクト毎にデータファイルが一元的、系統的に蓄積管理することができ、業務プロセスの種類やプロジェクト毎に問題が発生したときなどのトレースバック（業務プロセスやプロジェクトの作業の流れの方向に沿う状況の照会）やトレースフォワード（業務プロセスやプロジェクトの作業の流れの方向とは逆方向に沿う状況の照会）が容易となり、プロセス管理精度やトレーサビリディ精度の維持や向上が実現する。
【００４５】
なお、本発明は、製品の企画／開発／設計／製造／保守やそれ以外の一般サービスにおける企画／開発／計画／実行に関わる業務支援システムにも適用可能であり、業務プロセスの種類毎あるいはプロジェクト毎に実施内容・その結果を将来的にトレース可能な形で蓄積・管理する上で有効である。
【図面の簡単な説明】
【００４６】
【図１】本発明による業務プロセス及びドキュメントの記録・管理方法の一実施形態を用いたシステムの概略構成を示すシステム図であ
【図２】図１に示すシステムでの各部の一具体例を示す図である。
【図３】図１に示すシステムでの、主にテンプレートのダウンロードに関わる処理手順の一具体例を示すフローチャートである。
【図４】図３の処理に続く主にクライアントコンピュータからのデータファイルのアップロードに関わる処理手順の一具体例を示すフローチャートである。
【符号の説明】
【００４７】
１０  サーバ・コンピュータ
１１  ファイルサーバ
１２  ウェブ・サービス
１３  ネットワーク・ファイルシステム
２０  外部記録装置
２１  スクリプト
２２  制御ファイル
２３  テンプレートフォルダ
２４  テンプレート
２５  保存フォルダ
２６  格納フォルダ
３０，３０1〜３０n  クライアント・コンピュータ
４０，４０1〜４０n  G U I
５０  Webブラウザ
【図１】
2007179209.tif 000003
【図２】
2007179209.tif 000004
【図３】
2007179209.tif 000005
【図４】
2007179209.tif 000006